(57)【要約】【課題】  ユーザの利便性を向上させることができる。【解決手段】本発明の湿潤布製造装置では、ナノバブルを含有するナノバブル水を供給するナノバブル水供給手段と、乾いた布や紙でなる被加工対象を広げた状態に保持する状態保持手段と、前記被加工対象に対し、前記ナノバブル水を噴霧又は噴射する噴出手段と、前記被加工対象を所定の形状にする形状調整手段とを有することを特徴とする。これにより、ナノバブル水により被加工対象への浸透力を向上させ得る。【選択図】  図１
2020048835.tif 000002
【特許請求の範囲】
【請求項１】
ナノバブルを含有するナノバブル水を供給するナノバブル水供給手段と、
乾いた布や紙でなる被加工対象を広げた状態に保持する状態保持手段と、
前記被加工対象に対し、前記ナノバブル水を噴霧又は噴射する噴出手段と、
前記被加工対象を所定の形状にする形状調整手段と
を有することを特徴とする湿潤布製造装置。
【請求項２】
前記ナノバブル水は、
細菌の繁殖を防止する殺菌剤を含有する
ことを特徴とする請求項１に記載の湿潤布製造装置。
【請求項３】
前記殺菌剤として、
電解水を含有する
ことを特徴とする請求項２に記載の湿潤布製造装置。
【請求項４】
前記ナノバブル水は、
ｐＨ２．０〜６．０の酸性電解水にナノバブルを含有させた
ことを特徴とする請求項３に記載の湿潤布製造装置。
【請求項５】
前記ナノバブル水は、
ｐＨ９．０〜１２．０のアルカリ性電解水にナノバブルを含有させた
ことを特徴とする請求項３に記載の湿潤布製造装置。
【請求項６】
広げた状態に保持された乾いた布や紙でなる被加工対象に対し、ナノバブルを含有するナノバブル水を噴霧又は噴射する噴出ステップと、
前記被加工対象を所定の形状にする形状調整ステップと
を有することを特徴とする湿潤布製造方法。
【発明の詳細な説明】
【技術分野】
【０００１】
本発明は、例えば飲食品などを取り扱う店舗などに設置される湿潤布製造装置に関するものである。
【背景技術】
【０００２】
従来、ナノメートルオーダーの気泡を含む微細気泡（ナノバブル）を含有する水（以下、これナノバブル水と呼ぶ）が広く知られている。
【０００３】
ナノバブル水は、微細な凹凸に入り込み、汚れを浮き上がらせる効果があり、洗浄対象物に対して噴射したり流水洗浄を行うことにより、洗浄や清掃などの分野で使用されている（例えば特許文献１参照）。
【先行技術文献】
【特許文献】
【０００４】
【特許文献２】特許第４５６３４９６号公報
【発明の概要】
【発明が解決しようとする課題】
【０００５】
ところで、ナノバブル水を使って布や紙を湿潤させれば、ナノバブル水の効果により、ユーザの利便性を向上させることができると考えられる。
【０００６】
本発明はこのような問題を解決するためになされたもので、その目的は、ユーザの利便性を向上させる湿潤布製造装置及び湿潤布製造方法を提供するものである。
【課題を解決するための手段】
【０００７】
かかる課題を解決するため、本発明の湿潤布製造装置では、
ナノバブルを含有するナノバブル水を供給するナノバブル水供給手段と、
乾いた布や紙でなる被加工対象を広げた状態に保持する状態保持手段と、
前記被加工対象に対し、前記ナノバブル水を噴霧又は噴射する噴出手段と、
前記被加工対象を所定の形状にする形状調整手段と
を有することを特徴とする。
【０００８】
また、本発明の湿潤布製造方法では、広げた状態に保持された乾いた布や紙でなる被加工対象に対し、ナノバブルを含有するナノバブル水を噴霧又は噴射する噴出ステップと、
前記被加工対象を所定の形状にする形状調整ステップと
を有することを特徴とする。
【発明の効果】
【０００９】
本発明は、ユーザの利便性を向上させる湿潤布製造装置及び湿潤布製造方法を実現できる。
【図面の簡単な説明】
【００１０】
【図１】湿潤布製造装置の構成を示す略線図である。
【図２】湿潤布製造方法の説明に供するフローチャートである。
【発明を実施するための形態】
【００１１】
＜実施の形態＞
図１に示す１は、本実施の形態における湿潤布製造装置を示している。湿潤布製造装置１は、ロール状に巻かれたロール紙１１を所定のサイズのカット紙１２にカットしナノバブル水で湿らせた後、小さく巻くことによりサイズが調整されてなる湿潤布１３を自動で製造することができる。
【００１２】
湿潤布製造装置１では、貯留タンク３１にナノバブル水が貯留されており、配管３２を介して噴出部３３に供給される。ロール紙１１は、送りロール２１，２２によって搬送され、切断部３４によって所定の長さ（例えば１２〜２０ｃｍ程度）にカットされる。カットされたカット紙１２は、送りロール２３，２４によって広げた状態を保持したまま送りロール２５，２６へと搬送される。送りロール２３，２４及び送りロール２５，２６の間には、噴出部３３が設置されており、噴出部３３からナノバブル水が噴出される。
【００１３】
噴出部３３は、例えば複数の小さな噴出口（例えば直径０．１〜１．０ｍｍ以下）、若しくは噴霧構造が形成されており、少量のナノバブル水がカット紙１２に対して噴霧又は噴射される。噴出部３３におけるナノバブル水の噴出量は、設定により調整することが可能である。
【００１４】
カット紙１２は、送りロール２５，２６から調整ロール２７，２８へ搬送される。調整ロール２７，２８は、その間隔や回転速度を調整することにより、カット紙１２をコンパクトに巻いた後、排出斜面３６へ向かって落下させる。こうして排出口３５には所定のサイズに調整された湿潤布１３が排出される。
【００１５】
被加工対象であるロール紙１１としては、所定幅の紙や布などの繊維がロール状に巻かれた状態でなる。被加工対象としては、例えばパルプ繊維でできたパルプ紙や、プラスチック繊維でできた不織布、天然又は合成繊維を織った布などが挙げられる。被加工対象としては、表面が平滑であってもよく、エンボス加工などにより表面に凹凸が設けられていてもよい。
【００１６】
ナノバブルは、１〜１０００ｎｍのいわゆるナノオーダーの微細気泡であり、数ヶ月以上に亘って安定的に存在することができる。微細気泡を生成する際に特定のガス成分を混合し、特定のガス成分からなる微細気泡を生成することも可能である。微細気泡に含まれるガス成分としては、空気の他に、殺菌効果のある塩素やオゾン、保湿効果のある炭酸や窒素、香りのある香り成分ガスや酸化防止効果のある水素、消臭効果のあるガスなど、特定の効果を有する特定効果ガスを使用することができる。また、生成されたナノバブル水に対して、香り成分や保湿成分などの仕上げ成分を混合することもできる。
【００１７】
ナノバブル水とは、ナノオーダー（１ｎｍ〜１０００ｎｍ）の微細気泡を含有する水をいい、好ましくは微細気泡を０．１Ｅ０８個／ｍｌ以上、より好ましくは０．２Ｅ０８個／ｍｌ以上含有する。微細気泡として含有される気体としては、特に限定されず、空気、酸素、窒素、水素などが好適に用いられる。微細気泡の平均粒径に制限はないが、５０〜２５０ｎｍ程度であることが好ましい。これにより、ナノバブル水としての表面張力を低下させることができるため、湿潤布にナノバブル水としての効果を付与することができる。ナノバブル水の効果としては、汚れを浮き上がらせることにより、汚れを落とす洗浄効果が向上することが上げられる。また、被加工対象であるロール紙１１に対し、表面張力の低下により毛細血管現象を促進してナノバブル水をむらなく隅々まで行き渡らせる効果も有している。
【００１８】
例えば少量のナノバブル水として、湿潤布１３に対して重量比で０．５倍〜１０．０倍のナノバブル水を含有させることが好ましい。特に湿潤布１３に対して重量比で０．５倍〜２．０倍と極少量のナノバブル水を含有させる場合に、ナノバブル水が有する表面張力の低下の効果を存分に発揮することができる。この効果により、湿潤布製造装置１では、湿潤布１３に含有させるナノバブル水を通常の水を使用する場合と比較して少量で済ませることが可能である。
【００１９】
また、ナノバブル水としては、殺菌効果のある殺菌剤を含有させても良い。殺菌剤としては、制限は無いが、使用後に固形物が残留しない殺菌剤を使用することが好ましい。例えばメチルアルコールやエチルアルコールなどのアルコール類などを好適に使用することができる。
【００２０】
また、殺菌効果のある電解水にナノバブル水を含有させたナノバブル電解水をナノバブル水として使用することもできる。ナノバブル電解水としては、例えばｐＨがｐＨ２．０〜６．５の酸性電解水やｐＨが９．０〜１２．０のアルカリ性電解水が好適に用いられる。十分な殺菌効果を発現させるためには、ｐＨ２．０〜５．５の酸性電解水、ｐＨが１０．０〜１２．０のアルカリ性電解水が好適に用いられる。これにより、貯留タンク３１におけるナノバブル水の保存性を高めるだけでなく、湿潤布１３における汚れ落ち効果及び除菌効果を高めることができる。
【００２１】
電解水としては、食塩など、飽和溶解量を超えると固体として析出する析出物質を含まないことが好ましい。かかる析出物質などが含まれると、使用後に拭き跡の原因になったり、皮膚に付着してかゆみを引き起こす原因になるからである。析出物質を殆ど含まない電解水を生成するためには、カソード室及びアノード室が隔膜で隔たれた２槽型又はカソード室、アノード室及び中間室が隔膜で隔たれた３槽型の電解槽によって生成された電解水を用いることが好ましい。
【００２２】
電解水に使用される電解質としては特に制限されないが、塩素を含有する電解水を用いることにより、酸性電解水として殺菌力の高い塩素を含有することができるため好ましい。また、電解質として食塩を用い、２槽型又は３槽型の電解槽によって生成された電解水を用いることにより、良好な殺菌特性及び析出物質を殆ど含まない酸性電解水又はアルカリ性電解水を使用することができる。
【００２３】
なお、ナノバブル電解水としては、化学処理剤を使用せず、高速旋回や圧力開放、ベンチュリー方式などの物理的作用によって電解水に対してナノバブルを含有させることが好ましい。これにより、湿潤布１３に化学処理剤を含有させずに済むため、環境にやさしい湿潤布１３を製造することができる。
【００２４】
このようにして製造された湿潤布１３は、例えば飲食店や工場における手ふき用や清掃用途、病院や介護施設、避難所などにおける身体拭き用途など、各種清掃、衛生用途に使用することが可能である。
【００２５】
＜動作及び効果＞
以下、上記した実施形態から抽出される発明群の特徴について、必要に応じて課題及び効果等を示しつつ説明する。なお以下においては、理解の容易のため、上記各実施形態において対応する構成を括弧書き等で適宜示すが、この括弧書き等で示した具体的構成に限定されるものではない。また、各特徴に記載した用語の意味や例示等は、同一の文言にて記載した他の特徴に記載した用語の意味や例示として適用しても良い。
【００２６】
本実施の形態の湿潤布製造装置（湿潤布製造装置１）は、
ナノバブルを含有するナノバブル水を供給するナノバブル水供給手段（貯留タンク３１）と、乾いた布や紙でなる被加工対象（カット紙１２）を広げた状態に保持する状態保持手段（送りロール２３〜２６）と、
前記被加工対象に対し、前記ナノバブル水を噴霧又は噴射する噴出手段（噴出部３３）と、前記被加工対象を所定の形状にする形状調整手段（調整ロール２７，２８）とを有することを特徴とする。
【００２７】
これにより、湿潤布製造装置は、ナノバブルの効果により被加工対象に対するナノバブル水の浸透性を向上させ得るため、含有させるナノバブル水の量を少なくしてもむら無くナノバブル水を浸透させることができ、ナノバブル水の含有量の設定の幅を大きくできる。また、ナノバブルの効果により、湿潤布としての汚れ落ち効果を向上させることができる。かくして湿潤布製造装置は、ユーザに利便性を向上させることができる。
【００２８】
また、湿潤布製造装置において前記ナノバブル水は、細菌の繁殖を防止する殺菌剤を含有することを特徴とする。これにより、湿潤布製造装置の内部で細菌が繁殖することを防止できると共に、湿潤布における細菌が繁殖していないことを担保できる。
【００２９】
さらに、湿潤布製造装置は、前記殺菌剤として、電解水を含有することを特徴とする。これにより、安全でほぼ無臭な電解水を湿潤布に含有させることができる。また、電解水はアルコール類よりも揮発性が低く、湿潤布が短時間で乾燥することを未然に防止できる。
【００３０】
湿潤布製造装置では、前記ナノバブル水として、ｐＨ２．０〜６．０の酸性電解水にナノバブルを含有させたことを特徴とする。これにより、酸性電解水の殺菌力とナノバブルの表面張力の低下効果の双方を活かし、かつ安全でほぼ無臭な除菌効果のある湿潤布を製造することができる。
【００３１】
湿潤布製造装置では、前記ナノバブル水として、ｐＨ９．０〜１２．０のアルカリ性電解水にナノバブルを含有させたことを特徴とする。これにより、アルカリ性電解水の殺菌力及び汚れ落とし力とナノバブルの表面張力の低下効果の双方を活かし、かつ安全でほぼ無臭な除菌効果のある湿潤布を製造することができる。
【００３２】
図２に示すように、湿潤布製造方法（ＲＴ１）では、
広げた状態に保持された乾いた布や紙でなる被加工対象に対し、ナノバブルを含有するナノバブル水を噴霧又は噴射する噴出ステップ（ステップＳ１）と、
前記被加工対象を所定の形状にする形状調整ステップ（ステップＳ２）と
を有することを特徴とする。  
【００３３】
これにより、湿潤布製造方法では、ナノバブル水の浸透力を活用した湿潤布を製造することができる。
【００３４】
＜他の実施の形態＞
上述実施形態では、ナノバブル供給手段として貯留タンク３１を有するようにしたが、本発明はこれに限らず、ナノバブル水を製造するナノバブル水製造装置をナノバブル供給手段として接続し、製造されたナノバブル水の供給を受けても良い。この場合であっても上述した実施の形態と同様の効果を得ることができる。
【００３５】
上述実施形態では、ロール紙１１をカットするようにしたが、本発明はこれに限られない。例えば矩形状の布を一枚ずつ搬送してナノバブル水を噴霧又は噴射しても良い。
【００３６】
また上述実施形態では、カット紙１２をロール状に丸めたが、本発明はこれに限られない。調整される湿潤布の形状に制限は無く、例えば複数回折り畳んで扁平な長方形にしても良い。
【００３７】
またナノバブル水として、ナノバブルを含有していればよく、例えば水道水にナノバブルを含有させたものをナノバブル水としても良い。
【産業上の利用可能性】
【００３８】
本発明は、例えば飲食店や工場における手ふき用や清掃用途、病院や介護施設、避難所などにおける身体拭き用途など、各種清掃、衛生用途に使用する湿潤布製造装置に適用することができる。
【符号の説明】
【００３９】
１    ：湿潤布製造装置
１１  ：ロール紙
１２  ：カット紙
１３  ：湿潤布
２１〜２６  ：送りロール
２７，２８  ：調整ロール
３１  ：貯留タンク
３２  ：配管
３３  ：噴出部
３４  ：切断部
３５  ：排出口
【図１】
2020048835.tif 000003
【図２】
2020048835.tif 000004